(57)【特許請求の範囲】
【請求項１】
物体側より順に、物体側に凸面を向けた負の屈折力を有するメニスカス対物レンズと、負の屈折力を有する対物レンズと、一枚の接眼レンズにて構成されるアルバダ式ファインダーであって、前記メニスカス対物レンズの物体側の曲率半径をＲ１、前記メニスカス対物レンズの屈折率をＮ１、前記接眼レンズの肉厚をＤ５、前記接眼レンズの屈折力をφ３、前記メニスカス対物レンズの物体側頂点から接眼レンズの観察側頂点までの距離をＬとした時に、
０．５６３  ≦（Ｎ１×Ｌ）／Ｒ１＜２．５
０．１５＜（φ３×Ｌ）／Ｄ５＜０．６
なる条件を満足することを特徴とするアルバダ式ファインダー。
【請求項２】
前記メニスカス対物レンズは、観察側の面を非球面とし、Ｒを頂点曲率半径、光軸方向をＸ軸、光軸と垂直方向をＹ軸にとり、前記非球面の形状を
【外１】
0003563770.tif 000010
と表わした時に、非球面係数Ｂｉが、
【外２】
0003563770.tif 000011
なる条件を満足することを特徴とする請求項１のアルバダ式ファインダー。
【発明の詳細な説明】
【０００１】
【産業上の利用分野】
本発明はアルバダ式ファインダーに関し、収差が良好に補正された、特にディストーションの少ないアルバダ式ファインダーに関する。
【０００２】
【従来の技術】
従来、アルバダ式ファインダーは、図２に示す様に、対物レンズ１１、観察者側の面１２ａが半透過・半反射になっている半透過レンズ１２、視野枠等を示す部分反射面１３ａを有する情報表示体１３、接眼レンズ１４によって構成され、視野枠等の情報は、外光によって情報表示体１３の部分反射面が照明されると共に、その反射光が半透過・半反射面１２ａによって観察者側に反射されることにより、情報表示体１３、接眼レンズ１４を透過して観察者の瞳１５に達する様になっている。
或は、図３に示す様に、情報表示体１３を省略し、直接接眼レンズ１４’の物体側の面１４ａ’に、視野枠等を示す部分反射面を形成させる方法も知られている。
【０００３】
近年、カメラの高性能化の要求を満たすべく、見えの良い、特にディストーションが良好に補正されたファインダーが要求されて来ている。
【０００４】
しかしながら、特公昭６３−７３６５号公報や特公昭６３−９２０２号公報等に開示されている様に、一般的なアルバダ式ファインダーの最も物体側のレンズは両凹若しくは平凹レンズであり、ディストーションの補正に対して不利な形状な物がほとんどであった。
【０００５】
最も物体側のレンズが両凹、若しくは平凹レンズではないものとして、例えば特開昭６０−５７３２９号公報等が知られている。しかしながら、同公報では、最も物体側の第一レンズの形状を物体側に凸面を向けた負屈折力を有するメニスカスレンズとし、負屈折力を有する第一・第二レンズと、正屈折力を有する接眼レンズから構成され、接眼レンズの肉厚を規定することにより、前玉径のコンパクト化を図るものであるが、第一レンズの観察側の面については言及されているものの、物体側の面についての言及はなく、また実施例においてもディストーションの補正が充分とは言えない。
【０００６】
一方、アルバダ式ファインダーにおいて、ディストーションを良好に補正しているものとして、例えば特公平３−２０７３２号公報や、特公平２−４８８８３号公報等で開示されている様に、対物レンズのいずれかの面を非球面としたものがある。
【０００７】
特公平３−２０７３２号公報は、対物レンズと接眼レンズを有し、対物レンズの第二面を非球面とし、この非球面の形状を規定することによりディストーションを良好に補正している。また、特公平２−４８８８３号公報は、物体側から順に、負の第１レンズ、瞳側に強い曲率を持つ負のメニスカス第２レンズ、正の第３レンズにより構成されると共に、前記第１、２、３レンズの瞳側の面を非球面とし、非球面の形状を規定することによりコンパクト化と収差補正の両立を図っている。
【０００８】
しかしながら、特公平３−２０７３２号公報は、ディストーションの発生量自体は小さいものの、非球面の導入により、画角によるディストーションのうねりを生じており、このうねりにより観察時の品位を著しく低下させている。
【０００９】
また、特公平２−４８８８３号公報は、全長のコンパクト化が主眼であり、ディストーション、像面湾曲の補正が十分とは言えない。
【００１０】
【発明が解決しようとする課題】
そこで本発明の目的は、光学性能の向上を図ると共にレンズ外径の小さいコンパクトなアルバダ式ファインダーを提供するものである。
【００１２】
本発明のより具体的な目的は、メニスカス対物レンズの形状と共に、接眼レンズの形状を規定することにより結像性能の向上とレンズ外径のコンパクト化を図ることにある。
【００１３】
望ましくは、前記メニスカス対物レンズの観察側の面を非球面とし、この非球面の形状を規定することにより、さらなる高性能化を図ることを次の目的としている。
【００１７】
【課題を解決するための手段及び作用】
本発明は、上記問題点を解決するために、物体側より順に、物体側に凸面を向けた負の屈折力を有するメニスカス対物レンズと、負の屈折力を有する対物レンズと、一枚の接眼レンズにて構成されるアルバダ式ファインダーであって、前記メニスカス対物レンズの物体側の曲率半径をＲ１、前記メニスカス対物レンズの屈折率をＮ１、前記接眼レンズの肉厚をＤ５  前記接眼レンズの屈折力をφ３、前記メニスカス対物レンズの物体側頂点から接眼レンズの観察側頂点までの距離をＬとした時に、
０．５６３  ≦（Ｎ１×Ｌ）／Ｒ１＜２．５
０．１５＜（φ３×Ｌ）／Ｄ５＜０．６
なる条件を満足することを特徴としている。
【００１８】
さらに、本発明は、前記メニスカス対物レンズは、観察側の面を非球面とし、Ｒを頂点曲率半径、光軸方向をＸ軸、光軸と垂直方向をＹ軸にとり、前記非球面の形状を
【００１９】
【外７】
0003563770.tif 000002
と表わした時に、非球面係数Ｂｉが、
【００２０】
【外８】
0003563770.tif 000003
なる条件を満足することを特徴としている。
【００２１】
【実施例】
図１は、本発明の主要構成部を説明する為の構成図であり、１は物体側に凸面を向けた負の屈折力を有するメニスカス対物レンズ、２は負の屈折力を有し、瞳側の面２ａが半透過・半反射になっている半透過レンズであり、前記二群二枚の負レンズにて、全体として負の屈折力を有する対物レンズ群を構成している。
【００２２】
次に、３は物体側の面３ａに、視野枠等を示す部分反射面を形成させた正の屈折力を有する接眼レンズであり、視野枠等の情報は、外光によって、接眼レンズの物体側の面３ａに形成されている部分反射面が照明されると共に、その反射光が半透過・半反射面２ａによって観察者側に反射されることにより、接眼レンズ３を透過して観察者の瞳５に達する様になっている。また、４はファインダー光軸である。
【００２３】
上述した構成を有するアルバダ式ファインダーにおいて、本発明は、対物レンズ群中の最も物体側に配置されたレンズ、即ちメニスカス対物レンズ１の観察側の面を非球面とし、Ｒを頂点曲率半径、光軸方向をＸ軸、光軸と垂直方向をＹ軸にとり、前記非球面の形状を
【００２４】
【外９】
0003563770.tif 000004
と表わした時に、非球面係数Ｂｉが、
【００２５】
【外１０】
0003563770.tif 000005
と規定している。
【００２６】
上記条件式（１）は、非球面の形状を規定するものである。
【００２７】
一般的に、ディストーションの補正には、各面での法線角と入射光線角との関係が重要であり、非球面形状の連続性はあまり関係がないが、ディストーションの補正と共に非点収差の補正も考慮する場合においては、非球面形状の連続性が重要となって来る。
【００２８】
そこで、メニスカス対物レンズ１の観察側の面の非球面形状をレンズ周辺部に行く程曲率半径がゆるくなる方向へ連続的に変化させる事により、ディストーション補正と非点収差補正のバランスを良好に保っている。
【００２９】
また、更なる高性能化の為に、メニスカス対物レンズ１の物体側の曲率半径Ｒ１を
０．５  ＜（Ｎ１×Ｌ）／Ｒ１＜２．５    ・・・（２）
と規定している。ここで、Ｎ１はメニスカス対物レンズ１の屈折率、Ｌはメニスカス対物レンズ１の物体側頂点から接眼レンズの観察側頂点までの距離である。
【００３０】
条件式（２）において、条件式の下限値を越えると、レンズ外径が大型化し好ましくない。また、条件式の上限値を越えると、像面彎曲が補正不足になり好ましくない。
【００３１】
さらに本発明は、接眼レンズの肉厚Ｄ５を
０．１５＜（φ３×Ｌ）／Ｄ５＜０．６    ・・・（３）
と規定している。ここで、Ｌは前述した様に、メニスカス対物レンズ１の物体側頂点から接眼レンズの観察側頂点までの距離である。
【００３２】
条件式（３）において、条件式の下限値を越えると、接眼レンズの肉厚が増加し、ファインダー系の重量が増加すると共に、特にプラスチックにて接眼レンズを製作する場合においては、接眼レンズの加工が困難となり好ましくない。また、条件式の上限値を越えると、レンズ外径が大型化し好ましくない。
【００３３】
尚、条件式（２）、（３）において、上限値または下限値もしくは両者を、後述する数値の上限のものや下限のものに減縮しても良い。
【００３４】
次に、本発明の数値実施例を示す。数値実施例においてｒｉは物体側から第ｉ番目のレンズの曲率半径、ｄｉは同じく第ｉ番目のレンズ厚及び空気間隔、ｎｉは第ｉ番目のレンズのｄ線に対する屈折率、ｖｉは第ｉ番目のレンズのアッベ数である。またＥ−ｉは１０−ｉを示している。
【００３５】
数値実施例１〜４のそれぞれに対応する、レンズ断面図を図４〜図７に、収差図を図８〜図１１に示す。レンズ断面図においてＥＰは瞳位置を示し、また収差図において、球面収差の縦軸は瞳入射高であり、非点収差及び歪曲収差の縦軸はファインダー入射画角であり、球面収差及び非点収差の横軸はジオプター、歪曲収差の横軸は％である。また、ΔＳはサジタル像面、ΔＭはメリディオナル像面を示す。
【００３６】
0003563770.tif 000006
【００３７】
0003563770.tif 000007
【００３８】
0003563770.tif 000008
【００３９】
0003563770.tif 000009
【００４０】
【発明の効果】
以上説明した様に、第一の効果は、対物レンズ群中の最も物体側に配置されたレンズの、観察側の面を非球面とし、この非球面の形状を規定することにより、特にディストーションを良好に補正することができる。
【００４１】
また、第二の効果は、メニスカス対物レンズの形状を規定することにより結像性能の向上とレンズ外径のコンパクト化を図ることができる。
【００４２】
さらに、第三の効果は、前記メニスカス対物レンズの観察側の面を非球面とし、この非球面の形状を規定することにより、さらなる高性能化を図ることができることである。
【図面の簡単な説明】
【図１】本発明の主要構成部を説明する為の構成図。
【図２】アルバダ式ファインダーを説明するための説明図。
【図３】他の構成のアルバダ式ファインダーを説明するための説明図。
【図４】本発明の数値実施例１のレンズ断面図。
【図５】本発明の数値実施例２のレンズ断面図。
【図６】本発明の数値実施例３のレンズ断面図。
【図７】本発明の数値実施例４のレンズ断面図。
【図８】本発明の数値実施例１の収差図。
【図９】本発明の数値実施例２の収差図。
【図１０】本発明の数値実施例３の収差図。
【図１１】本発明の数値実施例４の収差図。
【符号の説明】
１  メニスカス対物レンズ
２  対物凹レンズ
３  接眼レンズ
４  ファインダー光軸
５  瞳
【図１】
0003563770.tif 000012
【図２】
0003563770.tif 000013
【図３】
0003563770.tif 000014
【図４】
0003563770.tif 000015
【図５】
0003563770.tif 000016
【図６】
0003563770.tif 000017
【図７】
0003563770.tif 000018
【図８】
0003563770.tif 000019
【図９】
0003563770.tif 000020
【図１０】
0003563770.tif 000021
【図１１】
0003563770.tif 000022